(57)【要約】【課題】無線通信タグの位置に対応する適切な情報を移動通信端末で簡単に取得できること。【解決手段】移動通信端末１００では、タグ情報取得部１３０が無線通信タグ５００のタグ識別番号５１２を取得し、端末通信部１４０がタグ識別番号５１２を管理サーバ２００へ送信する。管理サーバ２００では、接続中ルータ抽出部２４０は、受信されたタグ識別番号５１２に基づいて、無線通信タグ５００が通信接続しているＺｉｇｂｅｅルータ端末３００を、接続中固定通信端末として抽出する。情報抽出部２５０は、Ｚｉｇｂｅｅルータ端末３００（接続中固定通信端末）に対応付けられた所定の情報（店舗Ａ情報、店舗Ｂ情報等）をサーバ側記憶部２３０からサーバ側記憶部２３０から抽出して、サーバ側送信部２１２は、抽出された情報を移動通信端末１００へ送信する。【選択図】      図１
2014044642.tif 000002
【特許請求の範囲】
【請求項１】
所定の情報がそれぞれ対応付けられた複数の固定通信端末に接続された管理サーバと、タグ識別情報を有し、前記固定通信端末と通信接続する無線通信タグと、前記管理サーバとの間で無線通信を行う移動通信端末とを有する情報提供システムであって、
前記移動通信端末は、
前記タグ識別情報を取得するタグ情報取得部と、
前記タグ情報取得部により取得された前記タグ識別情報を前記管理サーバへ送信する端末側通信部とを有し、
前記管理サーバは、
前記端末側通信部により送信された前記タグ識別情報を受信するサーバ側受信部と、
前記複数の固定通信端末にそれぞれ対応付けられた前記所定の情報を記憶するサーバ側記憶部と、
前記サーバ側受信部により受信された前記タグ識別情報に基づいて、前記無線通信タグが通信接続している前記固定通信端末を、接続中固定通信端末として抽出する接続中固定通信端末抽出部と、
前記接続中固定通信端末抽出部により抽出された前記接続中固定通信端末に対応付けられた前記所定の情報を抽出情報として前記サーバ側記憶部から抽出する情報抽出部と、
前記情報抽出部により抽出された前記抽出情報を前記移動通信端末へ送信するサーバ側送信部とを有する情報提供システム。
【請求項２】
前記タグ識別情報は、前記無線通信タグに取り付けられたバーコードに書き込まれており、
前記タグ情報取得部は、前記バーコードを読み込むことにより、前記バーコードに書き込まれた前記タグ識別情報を取得する請求項１に記載の情報提供システム。
【請求項３】
前記バーコードは、前記タグ識別情報に加えて、前記管理サーバのウェブサイトアドレスであるサーバアドレスを含んでおり、
前記タグ情報取得部は、前記バーコードを読み込むことにより、前記バーコードに書き込まれた前記タグ識別情報および前記サーバアドレスを取得し、
前記端末側通信部は、前記タグ情報取得部により取得された前記サーバアドレスに従って前記管理サーバに通信接続した後に、前記タグ情報取得部により取得された前記タグ識別情報を前記管理サーバへ送信する請求項２に記載の情報提供システム。
【請求項４】
前記固定通信端末および前記無線通信タグの間の通信接続は、短距離無線通信により行われる請求項１〜３のいずれか１項に記載の情報提供システム。
【請求項５】
前記所定の情報は、前記固定通信端末が設置された店舗に関する情報である請求項１〜４のいずれか１項に記載の情報提供システム。
【請求項６】
所定の情報がそれぞれ対応付けられた複数の固定通信端末に接続された管理サーバと、タグ識別情報を有し、前記固定通信端末と通信接続する無線通信タグと、前記管理サーバとの間で無線通信を行う移動通信端末との間で、情報を提供する情報提供方法であって、
前記移動通信端末が、前記タグ識別情報を取得するタグ識別情報取得ステップと、
前記移動通信端末が、前記タグ識別情報取得ステップで取得された前記タグ識別情報を前記管理サーバへ送信するタグ識別情報送信ステップと、
前記管理サーバが、前記移動通信端末により送信された前記タグ識別情報を受信するタグ識別情報受信ステップと、
前記管理サーバが、前記タグ識別情報受信ステップで受信された前記タグ識別情報に基づいて、前記無線通信タグが通信接続している前記固定通信端末を、接続中固定通信端末として抽出する接続中固定端末抽出ステップと、
前記管理サーバが、前記接続固定通信端末抽出ステップで抽出された前記接続中固定通信端末に対応付けられた前記所定の情報を抽出情報として、前記複数の固定通信端末にそれぞれ対応付けられた前記所定の情報を記憶するサーバ側記憶部から抽出する情報抽出ステップと、
前記管理サーバが、前記情報抽出ステップで抽出された前記抽出情報を前記移動通信端末へ送信する抽出情報送信ステップとを含む情報提供方法。
【発明の詳細な説明】
【技術分野】
【０００１】
本発明は、情報提供システム等に関し、所定の情報がそれぞれ対応付けられた複数の固定通信端末に接続された管理サーバと、タグ識別情報を有し、固定通信端末と通信接続する無線通信タグと、管理サーバとの間で無線通信を行う移動通信端末とを有する情報提供システム等に関する。
【背景技術】
【０００２】
ショッピングモールなどでは、店舗情報を掲載した多くのパンフレット等が、配布されている。ショッピングモールの利用者は、このパンフレットから、ショッピングモール内の店舗情報を取得することができる。しかしながら、パンフレットの印刷代が負担となり、必要枚数以上の印刷をする必要が生じ、経済的ではない。
【０００３】
近年、スマートフォーン等の携帯情報端末が普及している。ショッピングモールの利用者は、携帯情報端末からショッピングモールのＵＲＬ（Ｕｎｉｆｏｒｍ  Ｒｅｓｏｕｒｃｅ  Ｌｏｃａｔｏｒ）へアクセスして、そこで店舗に関するキーワードや検索式を入力することで店舗情報を検索することができる。これにより、ショッピングモールの利用者は、調べたい店舗情報を取得することができる。
【０００４】
なお、本発明に関連する技術が、特許文献１および特許文献２に開示されている。
【先行技術文献】
【特許文献】
【０００５】
【特許文献１】特開２０１１−２１５７００号公報
【特許文献２】特開２００８−３０１３１５号公報
【発明の概要】
【発明が解決しようとする課題】
【０００６】
しかしながら、携帯情報端末を用いてキーワードや検索式を入力して店舗情報を検索する場合、利用者はショッピングモールに関する膨大な情報の中から特定の店舗情報を探し出す必要がある。このため、利用者は、店舗情報の検索作業を面倒と感じることが多いという問題があった。
【０００７】
本発明は、このような事情に鑑みてなされたものであり、本発明の目的は、無線通信タグの位置に対応する適切な情報を移動通信端末で簡単に取得できる情報提供システムおよび情報提供方法を提供することにある。
【課題を解決するための手段】
【０００８】
本発明の情報提供システムは、所定の情報がそれぞれ対応付けられた複数の固定通信端末に接続された管理サーバと、タグ識別情報を有し、前記固定通信端末と通信接続する無線通信タグと、前記管理サーバとの間で無線通信を行う移動通信端末とを有する情報提供システムであって、前記移動通信端末は、前記タグ識別情報を取得するタグ情報取得部と、
前記タグ情報取得部により取得された前記タグ識別情報を前記管理サーバへ送信する端末側通信部とを有し、前記管理サーバは、前記端末側通信部により送信された前記タグ識別情報を受信するサーバ側受信部と、前記複数の固定通信端末にそれぞれ対応付けられた前記所定の情報を記憶するサーバ側記憶部と、前記サーバ側受信部により受信された前記タグ識別情報に基づいて、前記無線通信タグが通信接続している前記固定通信端末を、接続中固定通信端末として抽出する接続中固定通信端末抽出部と、前記接続中固定通信端末抽出部により抽出された前記接続中固定通信端末に対応付けられた前記所定の情報を抽出情報として前記サーバ側記憶部から抽出する情報抽出部と、前記情報抽出部により抽出された前記抽出情報を前記移動通信端末へ送信するサーバ側送信部とを有する。
【０００９】
本発明の情報提供方法によれば、所定の情報がそれぞれ対応付けられた複数の固定通信端末に接続された管理サーバと、タグ識別情報を有し、前記固定通信端末と通信接続する無線通信タグと、前記管理サーバとの間で無線通信を行う移動通信端末との間で、情報を提供する情報提供方法であって、前記移動通信端末が、前記タグ識別情報を取得するタグ識別情報取得ステップと、前記移動通信端末が、前記タグ識別情報取得ステップで取得された前記タグ識別情報を前記管理サーバへ送信するタグ識別情報送信ステップと、前記管理サーバが、前記移動通信端末により送信された前記タグ識別情報を受信するタグ識別情報受信ステップと、前記管理サーバが、前記タグ識別情報受信ステップで受信された前記タグ識別情報に基づいて、前記無線通信タグが通信接続している前記固定通信端末を、接続中固定通信端末として抽出する接続中固定端末抽出ステップと、前記管理サーバが、前記接続固定通信端末抽出ステップで抽出された前記接続中固定通信端末に対応付けられた前記所定の情報を抽出情報として、前記複数の固定通信端末にそれぞれ対応付けられた前記所定の情報を記憶するサーバ側記憶部から抽出する情報抽出ステップと、前記管理サーバが、前記情報抽出ステップで抽出された前記抽出情報を前記移動通信端末へ送信する抽出情報送信ステップとを含んでいる。
【発明の効果】
【００１０】
本発明にかかる情報提供システムおよび情報提供方法によれば、無線通信タグの位置に対応する適切な情報を移動通信端末で簡単に取得できる。
【図面の簡単な説明】
【００１１】
【図１】本発明の第１の実施の形態における情報提供システムの構成を示す図である。
【図２】ＱＲコードに含まれる情報内容を示す図である。
【図３】移動通信端末の構成を示す図である。
【図４】管理サーバの構成を示す図である。
【図５】管理サーバの構成を図４と異なる視点で示す図である。
【図６】Ｚｉｇｂｅｅルータ端末の構成を示す図である。
【図７】Ｚｉｇｂｅｅコーディネータの構成を示す図である。
【図８】本発明の第１の実施の形態における情報提供システムの動作を示すシーケンス図である。
【図９】本発明の第２の実施の形態における情報提供システムの構成を示す図である。
【図１０】管理サーバの構成を示す図である。
【図１１】管理サーバの構成を図１０と異なる視点で示す図である。
【図１２】ＲＦＩＤリーダ端末の構成を示す図である。
【図１３】ＲＦＩＤ管理サーバの構成を示す図である。
【図１４】本発明の第２の実施の形態における情報提供システムの動作を示すシーケンス図である。
【発明を実施するための形態】
【００１２】
＜第１の実施の形態＞
本発明の第１の実施の形態における情報提供システム１０００について、図に基づいて説明する。
【００１３】
図１は、本発明の第１の実施の形態における情報提供システム１０００の構成を示す。
【００１４】
図１に示されるように、情報提供システム１０００は、移動通信端末１００と、管理サーバ２００と、Ｚｉｇｂｅｅ（登録商標）ルータ端末３００ａ、３００ｂと、Ｚｉｇｂｅｅコーディネータ４００と、無線通信タグ５００とを含んで構成されている。
【００１５】
なお、移動通信端末１００は、例えば、携帯無線電話機や、スマートフォンのような携帯情報端末などを含む。また、Ｚｉｇｂｅｅルータ端末３００ａ、３００ｂは、本発明の固定通信端末に対応する。なお、以下の説明では、Ｚｉｇｂｅｅルータ端末３００ａとＺｉｇｂｅｅルータ端末３００ｂを特に区別して説明する必要がない場合、これらを包括的にＺｉｇｂｅｅルータ端末３００として説明する場合がある。
【００１６】
図１に示されるように、移動通信端末１００と管理サーバ２００は、インターネットまたは携帯電話網６００を介して、互いに通信することができる。
【００１７】
管理サーバ２００とＺｉｇｂｅｅコーディネータ４００は、Ｅｎｔｈｅｒｎｅｔネットワーク７００によって、有線で接続されている。管理サーバ２００とＺｉｇｂｅｅコーディネータ４００は、Ｅｎｔｈｅｒｎｅｔネットワーク７００を介して、互いにデータ通信できる。
【００１８】
Ｚｉｇｂｅｅコーディネータ４００とＺｉｇｂｅｅルータ端末３００ａ、３００ｂは、Ｚｉｇｂｅｅネットワーク８００によって、有線で接続されている。Ｚｉｇｂｅｅコーディネータ４００とＺｉｇｂｅｅルータ端末３００ａ、３００ｂは、Ｚｉｇｂｅｅネットワーク８００を介して、互いにデータ通信できる。
【００１９】
ここで、Ｚｉｇｂｅｅとは、センサーネットワークを主目的とする近距離無線通信規格の１つである。このＺｉｇｂｅｅの基礎部分の電気的な仕様は、ＩＥＥＥ８０２．１５．４に規格化されている。すなわち、管理サーバ２００、Ｚｉｇｂｅｅコーディネータ４００およびＺｉｇｂｅｅルータ端末３００ａ、３００ｂは、Ｚｉｇｂｅｅに関係する規格に従って、互いにデータ通信を行う。
【００２０】
無線通信タグ５００は、少なくともＱＲコード（登録商標）５１０を有している。このＱＲコード５１０は、マトリックス型二次元式のバーコードであって、「ＱＲ」はＱｕｉｋ  Ｒｅｓｐｏｎｓｅに由来する。また、ＱＲコード５１０は、一次元バーコードと異なり、一般的に縦横に情報を有し、格納できる情報量が多い。このため、ＱＲコード５１０は、数字だけでなく、英字や漢字などの多言語のデータも格納できる特徴がある。なお、ＱＲコード５１０は、本発明のバーコードに対応する。
【００２１】
図２は、ＱＲコード５１０に含まれる情報内容を示す図である。
【００２２】
図２に示されるように、ＱＲコード５１０には、ＵＲＬ５１１とタグ識別番号５１２が書き込まれている。
【００２３】
ここで、ＵＲＬ５１１は、管理サーバ２００のウェブサイトアドレスであるサーバアドレスである。また、タグ識別番号５１２は、複数の無線通信タグ５００の各々を識別するために、各無線通信タグ５００に割り振られた番号である。なお、タグ識別番号５１２は、本発明のタグ識別情報に対応する。タグ識別情報には、数字番号に限らず、アルファベットや漢字や記号などを含めてもよい。すなわち、タグ識別番号５１２に代えて、アルファベットや漢字や記号を用いたタグ識別情報を用いて、ＱＲコード５１０を構成してもよい。
【００２４】
図２では、吹き出し枠内の上側に印字文字を示し、吹き出し枠内の下側に印字内容を示している。図２に示されるように、ＱＲコード５１０には、例示として、「http://xxxxxxx?」というＵＲＬ５１１と、「tag=1」というタグ識別番号５１２が書き込まれているものとする。
【００２５】
図１に戻って、無線通信タグ５００は、Ｚｉｇｂｅｅルータ端末３００ａ、３００ｂと無線により通信接続する。また、無線通信タグ５００は、図１に示されるように、Ｚｉｇｂｅｅエンドポイントとしても機能する。
【００２６】
Ｚｉｇｂｅｅルータ端末３００ａ、３００ｂは、所定の位置に配置される。図１に示す例では、Ｚｉｇｂｅｅルータ端末３００ａは、店舗Ａに配置されている。Ｚｉｇｂｅｅルータ端末３００ｂは、店舗Ｂに配置されている。なお、上述で、Ｚｉｇｂｅｅルータ端末３００ａ、３００ｂは、本発明の固定通信端末に対応すると説明した。これは、Ｚｉｇｂｅｅルータ端末３００ａ、３００ｂが、店舗Ａ、Ｂにそれぞれ固定して配置される意義である。したがって、Ｚｉｇｂｅｅルータ端末３００ａ、３００ｂは、店舗Ａ、Ｂ内の敷地内で自由に配置変更をすることができる。
【００２７】
また、Ｚｉｇｂｅｅルータ端末３００ａには、店舗Ａの情報が対応つけられている。同様に、Ｚｉｇｂｅｅルータ端末３００ｂには、店舗Ｂの情報が対応付けられている。
【００２８】
次に、情報提供システム１０００の移動通信端末１００の構成を説明する。
【００２９】
図３は、移動通信端末１００の構成を示す図である。
【００３０】
図３に示されるように、移動通信端末１００は、撮像部１１０と、表示部１２０と、タグ情報取得部１３０と、端末側通信部１４０と、制御部１５０とを備えている。
【００３１】
撮像部１１０は、無線通信タグ５１０に取り付けられたＱＲコード５１０を撮像する。
【００３２】
表示部１２０は、例えば、液晶表示装置や有機ＥＬ（Ｅｌｅｃｔｒｏ  Ｌｕｍｉｎｅｓｃｅｎｃｅ）装置などによって構成される。表示部１２０は、撮像部１１０により撮像されたＱＲコード５１０等を表示する。これにより、移動通信端末１００の利用者は、表示部１２０を見ながら、ＱＲコード５１０を正確に撮像することができる。
【００３３】
タグ情報取得部１３０は、無線通信タグ５１０のタグ識別番号５１２を取得する。具体的には、タグ情報取得部１３０は、撮像部１１０により撮像されたＱＲコード５１０を読み込むことにより、ＱＲコード５１０に書き込まれたタグ識別番号５１２を取得する。また、同時に、タグ情報取得部１３０は、撮像部１１０により撮像されたＱＲコード５１０を読み込むことにより、ＱＲコード５１０に書き込まれたＵＲＬ５１１を取得する。
【００３４】
端末側通信部１４０は、タグ情報取得部１３０により取得されたタグ識別番号５１２を管理サーバ２００へ送信する。このとき、端末側通信部１４０は、まず、タグ情報取得部１３０により取得されたＵＲＬ５１１に応じて、インターネット／携帯電話網６００を介して、管理サーバ２００に通信接続する。そして、端末側通信部１４０は、管理サーバ２００と通信接続した状態で、タグ識別番号５１２を管理サーバ２００へ送信する。これにより、管理サーバ２００は、無線通信タグ５００のタグ識別番号５１２を、取得することができる。
【００３５】
制御部１５０は、移動通信端末１００内の各部を制御する。すなわち、撮像部１１０、表示部１２０、タグ情報取得部１３０および端末通信部１４０は、制御部１５０の制御の下で、動作する。
【００３６】
次に、管理サーバ２００の構成について説明する。
【００３７】
図４は、管理サーバ２００の構成を示す図である。
【００３８】
図４に示されるように、管理サーバ２００は、サーバ側通信部２１０と、管理サーバ側Ｅｔｈｅｒｎｅｔ（登録商標）ネットワーク接続用通信部２２０と、サーバ側記憶部２３０と、接続中ルータ抽出部２４０と、情報抽出部２５０と、制御部２６０とを備えている。
【００３９】
サーバ側通信部２１０は、インターネット／携帯電話網６００を介して、移動通信端末１００と通信する。サーバ側通信部２１０は、サーバ側受信部２１１と、サーバ側送信部２１２とを備えている。
【００４０】
サーバ側受信部２１１は、インターネット／携帯電話網６００を介して、移動通信端末１００から各種データを受信する。具体的には、サーバ側受信部２１１は、端末側通信部１４０により送信されたタグ識別番号５１２等を受信する。このとき、サーバ側通信部２１０と移動通信端末１００の端末側通信部１４０とが、タグ情報取得部１３０により取得されたＵＲＬ５１１に従って、インターネット／携帯電話網６００を介して、通信接続されている。すなわち、サーバ側受信部２１１は、サーバ側通信部２１０と端末側通信部１４０が互いに通信接続している間に、タグ識別番号５１２を受信する。
【００４１】
サーバ側送信部２１２は、インターネット／携帯電話網６００を介して、移動通信端末１００へ各種データを送信する。具体的には、サーバ側送信部２１２は、後述の情報抽出部により抽出された抽出情報等を移動通信端末１００へ送信する。
【００４２】
管理サーバ側Ｅｔｈｅｒｎｅｔネットワーク接続用通信部２２０は、Ｅｔｈｅｒｎｅｔネットワーク７００を介して、Ｚｉｇｂｅｅコーディネータ４００と接続されている。管理サーバ側Ｅｔｈｅｒｎｅｔネットワーク接続用通信部２２０とＺｉｇｂｅｅコーディネータ４００は、Ｅｔｈｅｒｎｅｔネットワーク７００を介して、互いに各種データを送受信する。
【００４３】
サーバ側記憶部２３０は、管理サーバ２００内の各種データを記憶する。ここでは、サーバ側記憶部２３０は、店舗Ａ情報２３１と店舗Ｂ情報２３２とを記憶している。店舗Ａ情報２３１および店舗Ｂ情報２３２は、複数のＺｉｇｂｅｅルータ端末３００ａ、３００ｂにそれぞれ対応付けられた情報である。すなわち、店舗Ａ情報２３１は、Ｚｉｇｂｅｅルータ端末３００ａに対応付けられた情報である。店舗Ｂ２３２は、Ｚｉｇｂｅｅルータ端末３００ｂに対応付けられた情報である。なお、店舗Ａ情報２３１および店舗Ｂ情報２３２は、本発明の所定の情報に対応する。
【００４４】
接続中ルータ抽出部２４０は、サーバ側受信部２１１により受信されたタグ識別番号５１２に基づいて、無線通信タグ５００が通信接続しているＺｉｇｂｅｅルータ端末３００ａを、接続中のＺｉｇｂｅｅルータ端末（接続中の固定通信端末）として、抽出する。なお、接続中ルータ抽出部２４０は、本発明の接続中固定通信端末抽出部に対応する。
【００４５】
情報抽出部２５０は、接続中ルータ抽出部２４０により抽出された接続中のＺｉｇｂｅｅルータ端末３００ａに対応付けられた店舗Ａ情報２３２を抽出情報としてサーバ側記憶部２３０から抽出する。
【００４６】
制御部２６０は、管理サーバ２００内の各部を制御する。すなわち、サーバ側通信部２１０、管理サーバ側Ｅｔｈｅｒｎｅｔネットワーク接続用通信部２２０、サーバ側記憶部２３０、接続中ルータ抽出部２４０および情報抽出部２５０は、制御部２６０の制御の下で、動作する。
【００４７】
次に、管理サーバ２００の各構成を図４とは別の視点で説明する。図５は、管理サーバ２００の構成を図４と異なる視点で示す図である。
【００４８】
図５に示されるように、管理サーバ２００は、ＷＷＷサーバ２７１と、位置情報管理部２７２と、Ｅｔｈｅｒネットインターフェース２７３と、制御部２７４とを備えている。
【００４９】
ここで、ＷＷＷサーバ２７０の機能には、サーバ側通信部２１０が実行する機能が対応する。位置情報管理部２８０の機能には、接続中ルータ抽出部２４０、情報抽出部２５０およびサーバ側記憶部２３０が実行する機能が対応する。Ｅｔｈｅｒネットインターフェース２７３の機能には、管理サーバ側Ｅｔｈｅｒｎｅｔネットワーク接続用通信部２２０が対応する。制御部２７４の機能には、制御部２６０が実行する機能が対応する。
【００５０】
次に、Ｚｉｇｂｅｅルータ端末の構成について説明する。
【００５１】
図６は、Ｚｉｇｂｅｅルータ端末３００の構成を示す図である。
【００５２】
図６に示されるように、Ｚｉｇｂｅｅルータ端末３００は、ルータ端末側通信部３１０と、記憶部３２０と、ルータ端末側Ｚｉｇｂｅｅネットワーク接続用通信部３３０とを備えている。なお、図６では、複数のＺｉｇｂｅｅルータ端末３００の例示として、Ｚｉｇｂｅｅルータ端末３００ａを示している。
【００５３】
ルータ端末側通信部３１０は、当該ルータ端末側通信部３１０近傍に配置された無線通信タグ５００と無線通信接続する。
【００５４】
記憶部３２０は、Ｚｉｇｂｅｅルータ端末３００の各種データを記憶する。ここでは、記憶部３２０は、店舗Ａフラグ３２１を記憶している。ここで店舗Ａフラグ３２１は、Ｚｉｇｂｅｅルータ端末３００に対応付けられた店舗情報によって、異なってくる。すなわち、図６に例示したように、店舗Ａ情報３２１がＺｉｇｂｅｅルータ端末３００ａに対応付けられている場合、Ｚｉｇｂｅｅルータ端末３００ａの記憶部３２０には、店舗Ａフラグ３２１が記憶される。一方、店舗Ｂ情報３２１がＺｉｇｂｅｅルータ端末３００ｂに対応付けられている場合、Ｚｉｇｂｅｅルータ端末３００ｂの記憶部３２０には、店舗Ｂフラグ（不図示）が記憶される。これにより、各店舗情報が各Ｚｉｇｂｅｅルータ端末３００に対応付けられる。
【００５５】
ルータ端末側Ｚｉｇｂｅｅネットワーク接続用通信部３３０は、Ｚｉｇｂｅｅネットワーク８００を介して、Ｚｉｇｂｅｅコーディネータ４００と接続されている。ルータ端末側Ｚｉｇｂｅｅネットワーク接続用通信部３３０とＺｉｇｂｅｅコーディネータ４００は、Ｚｉｇｂｅｅネットワーク８００を介して、互いに各種データを送受信する。
【００５６】
制御部３４０は、Ｚｉｇｂｅｅルータ端末３００内の各部を制御する。すなわち、ルータ端末側通信部３１０、記憶部３２０およびルータ端末側Ｚｉｇｂｅｅネットワーク接続用通信部３３０は、制御部３４０の制御の下で、動作する。
【００５７】
次に、Ｚｉｇｂｅｅコーディネータ４００の構成について説明する。
【００５８】
図７は、Ｚｉｇｂｅｅコーディネータ４００の構成を示す図である。
【００５９】
Ｚｉｇｂｅｅコーディネータ４００は、コーディネータ側Ｚｉｇｂｅｅネットワーク接続用通信部４１０と、コーディネータ側Ｅｔｈｅｒｎｅｔネットワーク接続用通信部４２０と、制御部４３０とを備えている。
【００６０】
コーディネータ側Ｚｉｇｂｅｅネットワーク接続用通信部４１０は、Ｚｉｇｂｅｅネットワーク８００を介して、Ｚｉｇｂｅｅルータ端末３００と接続されている。コーディネータ側Ｚｉｇｂｅｅネットワーク接続用通信部４１０とＺｉｇｂｅｅルータ端末３００は、Ｚｉｇｂｅｅネットワーク８００を介して、互いに各種データを送受信する。
【００６１】
コーディネータ側Ｅｔｈｅｒｎｅｔネットワーク接続用通信部４２０は、Ｅｔｈｅｒｎｅｔネットワーク７００を介して、管理サーバ２００と接続されている。コーディネータ側Ｅｔｈｅｒｎｅｔネットワーク接続用通信部４２０と管理サーバ２００は、Ｅｔｈｅｒｎｅｔネットワーク７００を介して、互いに各種データを送受信する。
【００６２】
制御部４３０は、Ｚｉｇｂｅｅコーディネータ４００内の各部を制御する。すなわち、コーディネータ側Ｚｉｇｂｅｅネットワーク接続用通信部４１０およびコーディネータ側Ｅｔｈｅｒｎｅｔネットワーク接続用通信部４２０は、制御部４３０の制御の下で、動作する。
【００６３】
以上、本発明の実施の形態における情報提供システム１０００の構成について、各図を用いて、説明した。
【００６４】
次に、情報通信システム１０００の動作について、図に基づいて説明する。
【００６５】
図８は、情報通信システム１０００の動作を示すシーケンス図である。
【００６６】
まず、移動通信端末１００および無線通信タグ５００を有する利用者が、店舗Ａに近づくと、無線通信タグ５００は、Ｚｉｇｂｅｅルータ端末３００ａの通信接続可能範囲内に入り、Ｚｉｇｂｅｅルータ端末３００ａと通信接続する（ステップ（以下、Ｓと称する）８０１）。具体的には、Ｚｉｇｂｅｅルータ端末３００ａのルータ端末側通信部３１０と無線通信タグ５００とが、互いに無線通信接続する。
【００６７】
無線通信タグ５００とＺｉｇｂｅｅルータ端末３００ａとの通信接続が完了すると、Ｚｉｇｂｅｅルータ端末３００ａはＺｉｇｂｅｅコーディネータ４００に対して、認証を要求する（Ｓ８０２）。このとき、Ｚｉｇｂｅｅルータ端末３００ａのルータ端末側Ｚｉｇｂｅｅネットワーク接続用通信部３３０が、Ｚｉｇｂｅｅコーディネータ４００に対して、店舗Ａフラグ３２１と合わせて情報認証の要求信号を送信する。
【００６８】
次に、Ｚｉｇｂｅｅコーディネータ４００が、Ｚｉｇｂｅｅルータ端末３００ａからの要求に従って、認証を行う（Ｓ８０３）。
【００６９】
そして、Ｚｉｇｂｅｅコーディネータ４００は、認証の結果を、無線通信タグ５００へ送信する（Ｓ８０４）。この結果、無線通信タグ５００は、Ｚｉｇｂｅｅルータ端末３００ａとの通信接続を完了する（Ｓ８０５）。
【００７０】
また、Ｚｉｇｂｅｅコーディネータ４００は、「無線通信タグ５００は、店舗Ａに配置されたＺｉｇｂｅｅルータ端末３００ａと接続した。」という情報を、管理サーバ２００の位置情報管理部２７２へ送信する（Ｓ８０６）。具体的には、Ｚｉｇｂｅｅコーディネータ４００のコーディネータ側Ｅｔｈｅｒｎｅｔネットワーク接続用通信部４２０が、Ｅｔｈｅｒｎｅｔネットワーク７００を介して、管理サーバ２００の管理サーバ側Ｅｔｈｅｒｎｅｔネットワーク接続用通信部２２０へ、上記情報を送信する。
【００７１】
次に、無線通信タグ５００がＺｉｇｂｅｅルータ端末３００ａと接続している状態で、利用者は移動通信端末１００の撮像部１１０を用いて無線通信タグ５００のＱＲコード５１０を撮影する（Ｓ８０７）。
【００７２】
そして、移動通信端末１００のタグ情報取得部１３０は、撮像部１１０により撮像されたＱＲコード５１０を読み込むことにより、無線通信タグ５１０のＱＲコード５１０に書き込まれたＵＲＬ５１１とタグ識別番号５１２と読み取る（Ｓ８０８）。
【００７３】
移動通信端末１００は、インターネット／携帯電話網６００を介して、Ｓ８０８で取得したＵＲＬ５１１に応じて、管理サーバ２００のＷＷＷサーバ２７１に通信接続する（Ｓ８０９）。そして、管理サーバ２００では、制御部２７４が、ＷＷＷサーバ２７１を介してＵＲＬ５１１を取得する（Ｓ８１０）。このとき、移動通信端末１００は、当該移動通信端末１００内にインストールされたインターネットブラウザを用いて、ＵＲＬ５１１を指定して、管理サーバ２００の制御部２７４にアクセスする。具体的には、移動通信端末１００の端末側通信部１４０が、タグ情報取得部１３０により取得されたＵＲＬ５１１に応じて、インターネット／携帯電話網６００を介して、管理サーバ２００のサーバ側通信部２１０に通信接続する。また、移動通信端末１００の端末側通信部１４０は、タグ情報取得部１３０により取得されたタグ識別番号５１２をＵＲＬ５１１に含めて管理サーバ２００へ送信する。
【００７４】
次に、管理サーバ２００では、制御部２７４が、ＵＲＬ５１１のクエリ部分からタグ識別番号５１２を取り出す（Ｓ８１１）。
【００７５】
そして、管理サーバ２００では、制御部２７４は、無線通信タグ５００の位置情報を、位置情報管理部２７２へ問い合わせる（Ｓ８１２）。より具体的には、管理サーバ２００の制御部２６０が、サーバ側受信部２１１により受信されたタグ識別番号５１２に基づいて、無線通信タグ５００の位置を、接続中ルータ抽出部２４０へ問い合わせる。
【００７６】
また、管理サーバ２００では、位置情報管理部２７２が、無線通信タグ５００の位置情報を抽出し、この抽出結果として、「接続中ルータ端末名」を制御部２７４へ送信する（Ｓ８１３）。より具体的には、接続中ルータ抽出部２４０が、サーバ側受信部２１１により受信されたタグ識別番号５１２に基づいて、無線通信タグ５００が通信接続しているＺｉｇｂｅｅルータ端末３００を接続中Ｚｉｇｂｅｅルータ端末として抽出する。ここでは、Ｓ８０１〜Ｓ８０５の処理の通り、無線通信タグ５００はＺｉｇｂｅｅルータ端末３００ａと通信接続している。したがって、接続中ルータ抽出部２４０は、「Ｚｉｇｂｅｅルータ端末３００ａ」を接続中Ｚｉｇｂｅｅルータ端末として抽出して、これを「接続中ルータ名」として制御部２６０へ送信する。
【００７７】
次に、管理サーバ２００では、制御部２７４が、ＷＷＷサーバ２７１に対して、店舗Ａに関する情報を移動通信端末１００へ送信するように要求する（Ｓ８１４）。より具体的には、管理サーバ２００では、情報抽出部２５０が、接続中ルータ抽出部２４０により抽出された接続中Ｚｉｇｂｅｅルータ端末３００ａに対応付けられた店舗Ａ情報２３２を抽出情報としてサーバ側記憶部２３０から抽出する。そして、制御部２６０が、サーバ側送信部２１２に対して、店舗Ａ情報２３２を移動通信端末１００へ送信するように送信要求する。
【００７８】
管理サーバ２００では、ＷＷＷサーバ２７１は、制御部２７４の送信要求を受けて、店舗Ａ情報２３２を移動通信端末１００へ送信する（Ｓ８１５）。より具体的には、サーバ側送信部２１２が、情報抽出部２５０により抽出された店舗Ａ情報２３２を移動通信端末１００へ送信する。これにより、移動通信端末１００利用者は、当該移動通信端末１００がある近くの店舗Ａに関する情報を、取得することができる。
【００７９】
以上の通り、本発明の第１の実施の形態における情報提供システム１０００は、管理サーバ２００と、無線通信タグ５００と、移動通信端末１００とを有する。管理サーバ２００は、所定の情報（店舗Ａ情報、店舗Ｂ情報等）がそれぞれ対応付けられた複数のＺｉｇｂｅｅルータ端末３００（固定通信端末）に接続されている。無線通信タグ５００は、タグ識別番号５１２（タグ識別情報）を有し、Ｚｉｇｂｅｅルータ端末３００と通信接続する。移動通信端末１００は、管理サーバ２００との間で無線通信を行う。
【００８０】
移動通信端末１００は、タグ情報取得部１３０と、端末側通信部１４０とを有している。タグ情報取得部１３０は、タグ識別情報を取得する。端末側通信部１４０は、タグ情報取得部１３０により取得されたタグ識別情報を管理サーバ２００へ送信する。
【００８１】
管理サーバ２００は、サーバ側受信部２１１と、サーバ側記憶部２３０と、接続中ルータ抽出部２４０（接続中固定通信端末抽出部）と、情報抽出部２５０と、サーバ側送信部２１２とを有している。サーバ側受信部２１１は、端末側通信部１４０により送信されたタグ識別番号５１２を受信する。サーバ側記憶部２３０は、複数のＺｉｇｂｅｅルータ端末３００にそれぞれ対応付けられた所定の情報（店舗Ａ情報、店舗Ｂ情報等）を記憶する。接続中ルータ抽出部２４０は、サーバ側受信部２１１により受信されたタグ識別番号５１２に基づいて、無線通信タグ５００が通信接続しているＺｉｇｂｅｅルータ端末３００を、接続中固定通信端末として抽出する。情報抽出部２５０は、接続中ルータ抽出部２４０により抽出された接続中固定通信端末に対応付けられた所定の情報（店舗Ａ情報、店舗Ｂ情報等）を抽出情報としてサーバ側記憶部２３０から抽出する。サーバ側送信部２１２は、情報抽出部２５０により抽出された抽出情報を移動通信端末１００へ送信する。
【００８２】
このように、移動通信端末１００では、タグ情報取得部１３０が無線通信タグ５００のタグ識別番号５１２を取得し、端末通信部１４０がタグ識別番号５１２を管理サーバ２００へ送信する。これにより、管理サーバ２００は、移動通信端末１００の利用者が所有する無線通信タグ５００のタグ識別番号５１２を取得できる。
【００８３】
また、管理サーバ２００では、接続中ルータ抽出部２４０は、サーバ側受信部２１１により受信されたタグ識別番号５１２に基づいて、無線通信タグ５００が通信接続しているＺｉｇｂｅｅルータ端末３００を、接続中固定通信端末として抽出する。このとき、管理サーバ２００は、所定の情報（店舗Ａ情報、店舗Ｂ情報等）が対応付けられた複数のＺｉｇｂｅｅルータ端末３００に接続され、無線通信タグ５００とＺｉｇｂｅｅルータ端末３００ａは通信接続している。このため、接続中ルータ抽出部２４０は、タグ識別番号５１２を手がかりに、無線通信タグ５００が通信接続しているＺｉｇｂｅｅルータ端末３００を、接続中固定通信端末として抽出することができる。
【００８４】
また、管理サーバ２００では、サーバ側記憶部２３０が、複数のＺｉｇｂｅｅルータ端末３００に対応付けられた所定の情報（店舗Ａ情報、店舗Ｂ情報等）を記憶している。したがって、情報抽出部２５０は、無線通信タグ５００が通信接続しているＺｉｇｂｅｅルータ端末３００（接続中固定通信端末）を特定できれば、当該接続中固定通信端末に対応付けられた所定の情報（店舗Ａ情報、店舗Ｂ情報等）を抽出情報としてサーバ側記憶部２３０から抽出することができる。
【００８５】
また、管理サーバ２００では、サーバ側送信部２１２は、情報抽出部２５０により抽出された抽出情報を移動通信端末１００へ送信する。
【００８６】
このようにして、本発明の第１の実施の形態における情報提供システム１０００では、移動通信端末１００および無線通信タグ５００の移動に応じて、管理サーバ２００が移動通信端末１００へ適切な情報を提供するので、無線通信タグ５００の位置に対応する適切な情報を移動通信端末１００で簡単に取得することができる。
【００８７】
また、本発明の第１の実施の形態における情報提供システム１０００において、タグ識別番号５１２（タグ識別情報）は、無線通信タグ５００に取り付けられたＱＲコード５１０（バーコード）に書き込まれている。タグ情報取得部１３０は、ＱＲコード５１０を読み込むことにより、ＱＲコード５１０に書き込まれたタグ識別番号を取得する。これにより、タグ識別情報を、バーコードの中から簡単に読み込んだり、書き込んだりすることができる。
【００８８】
本発明の第１の実施の形態における情報提供システム１０００において、ＱＲコード５１０（バーコード）は、タグ識別番号５１２に加えて、管理サーバ２００のウェブサイトアドレスであるＵＲＬ５１１（サーバアドレス）を含んでいる。タグ情報取得部１３０は、ＱＲコード５１０を読み込むことにより、ＱＲコード５１０に書き込まれたタグ識別番号５１２およびＵＲＬ５１１を取得する。端末側通信部１４０は、タグ情報取得部１３０により取得されたＵＲＬ５１１に従って管理サーバ２００に通信接続した後に、タグ情報取得部１３０により取得されたタグ識別番号５１２を管理サーバ２００へ送信する。これにより、タグ識別情報に加えて、管理サーバ２００のウェブサイトアドレスであるサーバアドレスをも、バーコードの中から簡単に読み込んだり、書き込んだりすることができる。また、移動通信端末１００は、バーコード中から取得したサーバアドレスに従って、管理サーバ２００に簡単に通信接続することができ、タグ識別情報を管理サーバ２００へ送信することができる。
【００８９】
本発明の第１の実施の形態における情報提供システム１０００において、Ｚｉｇｂｅｅルータ端末３００（固定通信端末）および無線通信タグ５００の間の通信接続は、短距離無線通信により行われる。これにより、Ｚｉｇｂｅｅルータ端末３００（固定通信端末）および無線通信タグ５００の間の通信接続を簡単に実現できる。
【００９０】
本発明の第１の実施の形態における情報提供システム１０００において、所定の情報は、Ｚｉｇｂｅｅルータ端末３００（固定通信端末）が設置された店舗に関する情報である。これにより、例えば、ショッピングモールに本発明を適用できる。
【００９１】
本発明の第１の実施の形態における情報提供方法は、管理サーバ２００と、無線通信タグ５００と、移動通信端末１００との間で、情報を提供する方法である。このとき、管理サーバ２００は、所定の情報（店舗Ａ情報、店舗Ｂ情報等）がそれぞれ対応付けられた複数のＺｉｇｂｅｅルータ端末３００（固定通信端末）に接続されている。無線通信タグ５００は、タグ識別番号５１２（タグ識別情報）を有し、Ｚｉｇｂｅｅルータ端末３００と通信接続する。移動通信端末１００は、管理サーバ２００との間で無線通信を行う。
【００９２】
情報提供方法は、タグ識別情報取得ステップと、タグ識別情報送信ステップと、タグ識別情報受信ステップと、接続中固定端末抽出ステップと、情報抽出ステップと、抽出情報送信ステップとを含んでいる。タグ識別情報取得ステップでは、移動通信端末１００が、タグ識別情報を取得する。タグ識別情報送信ステップでは、移動通信端末１００が、タグ識別情報取得ステップで取得されたタグ識別情報を管理サーバ２００へ送信する。タグ識別情報受信ステップでは、管理サーバ２００が、移動通信端末１００により送信されたタグ識別情報を受信する。接続中固定端末抽出ステップでは、管理サーバ２００が、タグ識別情報受信ステップで受信されたタグ識別情報に基づいて、無線通信タグ５００が通信接続している固定通信端末を、接続中固定通信端末として抽出する。情報抽出ステップでは、管理サーバ２００が、接続固定通信端末抽出ステップで抽出された接続中固定通信端末に対応付けられた所定の情報を抽出情報として、複数の固定通信端末にそれぞれ対応付けられた所定の情報を記憶するサーバ側記憶部から抽出する。抽出情報送信ステップでは、管理サーバ２００が、情報抽出ステップで抽出された抽出情報を移動通信端末１００へ送信する。このような情報提供方法であっても、上述した情報提供システム１０００と同様の効果を奏することができる。
【００９３】
＜第２の実施の形態＞
本発明の第２の実施の形態における情報提供システム１０００Ａについて、図に基づいて説明する。
【００９４】
図９は、本発明の第２の実施の形態における情報提供システム１０００Ａの構成を示す図である。
【００９５】
図９に示されるように、情報提供システム１０００Ａは、移動通信端末１００と、管理サーバ２００Ａと、ＲＦＩＤ（Ｒａｄｉｏ  Ｆｒｅｑｕｅｎｃｙ  ＩＤｅｎｔｉｆｉｃａｔｉｏｎ）リーダ端末３００Ａａ、３００Ａｂと、ＲＦＩＤ管理サーバ４００と、無線通信タグ５００とを含んで構成されている。
【００９６】
ここで、ＲＦＩＤとは、電波と使用して物品や人物を自動的に識別するための技術をいう。ＲＦＩＤは、Ｚｉｇｂｅｅと同様に、無線通信を利用している。このため、データの読み取りが柔軟で、同時に複数のＩＤを一括して読み取ることができる。
【００９７】
なお、ＲＦＩＤリーダ端末３００Ａａ、３００Ａｂは、本発明の固定通信端末に対応する。なお、以下の説明では、ＲＦＩＤリーダ端末３００ＡａとＲＦＩＤリーダ端末３００Ａｂを特に区別して説明する必要がない場合、これらを包括的にＲＦＩＤリーダ端末３００Ａとして説明する場合がある。
【００９８】
ここで、図９に示された情報提供システム１０００Ａと、図１に示された情報提供システム１０００とを対比する。
【００９９】
図１では、店舗Ａおよび店舗Ｂの各店舗には、Ｚｉｇｂｅｅルータ端末３００ａ、３００ｂが設けられている。これに対して、図９では、店舗Ａおよび店舗Ｂの各店舗には、ＲＦＩＤリーダ端末３００Ａａ、３００Ａｂが設けられている。
【０１００】
図１では、Ｚｉｇｂｅｅコーディネータ４００が管理サーバ２００にＥｔｈｅｒｎｅｔネットワーク７００を介して接続されている。これに対して、図９では、ＲＦＩＤ管理サーバ４００Ａが管理サーバ２００ＡにＥｔｈｅｒｎｅｔネットワーク７００を介して接続されている。
【０１０１】
図１では、Ｚｉｇｂｅｅコーディネータ４００とＺｉｇｂｅｅルータ端末３００ａ、３００ｂがＺｉｇｂｅｅネットワーク８００を介して接続されている。これに対して、図９では、ＲＦＩＤ管理サーバ４００ＡとＲＦＩＤリーダ端末３００Ａａ、３００ＡｂがＲＦＩＤネットワーク８００Ａを介して接続されている。
【０１０２】
図１では、無線通信タグ５００は、Ｚｉｇｂｅｅエンドポイントとして機能する。これに対して、図９では、無線通信タグ５００Ａは、ＲＦＩＤタグとして機能する。
【０１０３】
図９に示されるように、移動通信端末１００と管理サーバ２００Ａは、インターネットまたは携帯電話網６００を介して、互いに通信することができる。
【０１０４】
管理サーバ２００ＡとＲＦＩＤ管理サーバ４００Ａは、Ｅｎｔｈｅｒｎｅｔネットワーク７００によって、有線で接続されている。管理サーバ２００ＡとＲＦＩＤ管理サーバ４００Ａは、Ｅｎｔｈｅｒｎｅｔネットワーク７００を介して、互いにデータ通信できる。
【０１０５】
ＲＦＩＤ管理サーバ４００ＡとＲＦＩＤリーダ端末３００Ａａ、３００Ａｂは、ＲＦＩＤネットワーク８００Ａによって、有線で接続されている。ＲＦＩＤ管理サーバ４００ＡとＲＦＩＤリーダ端末３００Ａａ、３００Ａｂは、ＲＦＩＤネットワーク８００Ａを介して、互いにデータ通信できる。
【０１０６】
無線通信タグ５００Ａは、少なくともＱＲコード５１０を有している。なお、ＱＲコード５１０は、本発明のバーコードに対応する。ＱＲコード５１０に含まれる情報内容は、第１の実施の形態の説明において、図２を用いて説明した通りである。
【０１０７】
無線通信タグ５００Ａは、ＲＦＩＤリーダ端末３００Ａａ、３００Ａｂと無線により通信接続する。また、無線通信タグ５００Ａは、図９に示されるように、ＲＦＩＤタグとしても機能する。
【０１０８】
ＲＦＩＤリーダ端末３００Ａａ、３００Ａｂは、所定の位置に配置される。図９に示す例では、ＲＦＩＤリーダ端末３００Ａａは、店舗Ａに配置されている。ＲＦＩＤリーダ端末３００Ａｂは、店舗Ｂに配置されている。なお、上述で、ＲＦＩＤリーダ端末３００Ａａ、３００Ａｂは、本発明の固定通信端末に対応すると説明した。これは、ＲＦＩＤリーダ端末３００Ａａ、３００Ａｂが、店舗Ａ、Ｂにそれぞれ固定して配置される意義である。したがって、ＲＦＩＤリーダ端末３００Ａａ、３００Ａｂは、店舗Ａ、Ｂ内の敷地内で自由に配置変更をすることができる。
【０１０９】
また、ＲＦＩＤリーダ端末３００Ａａには、店舗Ａの情報が対応つけられている。同様に、ＲＦＩＤリーダ端末３００Ａｂには、店舗Ｂの情報が対応付けられている。
【０１１０】
次に、情報提供システム１０００Ａの各構成について、説明する。
【０１１１】
まず、移動通信端末１００の構成は、図３と同様であるので、具体的な説明を省略する。
【０１１２】
次に、管理サーバ２００Ａの構成について説明する。
【０１１３】
図１０は、管理サーバ２００Ａの構成を示す図である。
【０１１４】
図１０に示されるように、管理サーバ２００Ａは、サーバ側通信部２１０と、管理サーバ側Ｅｔｈｅｒｎｅｔネットワーク接続用通信部２２０と、サーバ側記憶部２３０と、接続中リーダ抽出部２４０Ａと、情報抽出部２５０と、制御部２６０とを備えている。
【０１１５】
ここで、図４と図１０を対比する。図４では、接続中ルータ抽出部２４０であるのに対して、図１０では、接続中リーダ抽出部２４０Ａである点で、両者は互いに相違する。
【０１１６】
その他の構成は、図４に示した管理サーバ２００と同様であり、第１の実施の形態の説明に準じた動作をする。このため、その他の構成については、詳しい説明を省略する。
【０１１７】
接続中リーダ抽出部２４０Ａは、サーバ側受信部２１１により受信されたタグ識別番号５１２に基づいて、無線通信タグ５００Ａが通信接続しているＲＦＩＤリーダ端末３００Ａａを、接続中のＲＦＩＤリーダ端末（接続中の固定通信端末）として、抽出する。なお、接続中リーダ抽出部２４０Ａは、本発明の接続中固定通信端末抽出部に対応する。
【０１１８】
なお、管理サーバ側Ｅｔｈｅｒｎｅｔネットワーク接続用通信部２２０は、Ｅｔｈｅｒｎｅｔネットワーク７００を介して、ＲＦＩＤ管理サーバ４００Ａと接続されている。管理サーバ側Ｅｔｈｅｒｎｅｔネットワーク接続用通信部２２０とＲＦＩＤ管理サーバ４００Ａは、Ｅｔｈｅｒｎｅｔネットワーク７００を介して、互いに各種データを送受信する。
【０１１９】
次に、管理サーバ２００Ａの各構成を図１０とは別の視点で説明する。図１１は、管理サーバ２００Ａの構成を図１０と異なる視点で示す図である。
【０１２０】
図１０に示されるように、管理サーバ２００Ａは、ＷＷＷサーバ２７１と、位置情報管理部２７２と、Ｅｔｈｅｒネットインターフェース２７３と、制御部２７４とを備えている。
【０１２１】
ここで、ＷＷＷサーバ２７０の機能には、サーバ側通信部２１０が実行する機能が対応する。位置情報管理部２８０の機能には、接続中リーダ抽出部２４０Ａ、情報抽出部２５０およびサーバ側記憶部２３０が実行する機能が対応する。Ｅｔｈｅｒネットインターフェース２７３の機能には、管理サーバ側Ｅｔｈｅｒｎｅｔネットワーク接続用通信部２２０が対応する。制御部２７４の機能には、制御部２６０が実行する機能が対応する。
【０１２２】
次に、ＲＦＩＤリーダ端末の構成について説明する。
【０１２３】
図１２は、ＲＦＩＤリーダ端末３００Ａの構成を示す図である。
【０１２４】
図１２に示されるように、ＲＦＩＤリーダ端末３００Ａは、リーダ端末側通信部３１０Ａと、記憶部３２０と、リーダ端末側ＲＦＩＤネットワーク接続用通信部３３０Ａとを備えている。なお、図１２では、複数のＲＦＩＤリーダ端末３００Ａの例示として、ＲＦＩＤリーダ端末３００Ａａを示している。
【０１２５】
ここで、図６と図１２を対比する。図６では、ルータ端末側通信部３１０であるのに対して、図１０では、リーダ端末側通信部３１０Ａである点で、両者は互いに相違する。
【０１２６】
また、図６では、ルータ端末側Ｚｉｇｂｅｅネットワーク接続用通信部３３０であるのに対して、図１２では、リーダ端末側ＲＦＩＤネットワーク接続用通信部３３０Ａである点で、両者は互いに相違する。
【０１２７】
その他の構成は、図６に示したＺｉｇｂｅｅルータ３００と同様であり、第１の実施の形態の説明に準じた動作をする。このため、その他の構成については、詳しい説明を省略する。
【０１２８】
リーダ端末側通信部３１０Ａは、当該リーダ端末側通信部３１０Ａ近傍に配置された無線通信タグ５００Ａと無線通信接続する。
【０１２９】
リーダ端末側ＲＦＩＤネットワーク接続用通信部３３０Ａは、ＲＦＩＤネットワーク８００Ａを介して、ＲＦＩＤ管理サーバ４００Ａと接続されている。リーダ端末側ＲＦＩＤネットワーク接続用通信部３３０ＡとＲＦＩＤ管理サーバ４００Ａは、ＲＦＩＤネットワーク８００Ａを介して、互いに各種データを送受信する。
【０１３０】
次に、ＲＦＩＤ管理サーバ４００Ａの構成について説明する。
【０１３１】
図１３は、ＲＦＩＤ管理サーバ４００Ａの構成を示す図である。
【０１３２】
図１３に示されるように、ＲＦＩＤ管理サーバ４００Ａは、管理サーバ側ＲＦＩＤネットワーク接続用通信部４１０Ａと、管理サーバ側Ｅｔｈｅｒｎｅｔネットワーク接続用通信部４２０Ａと、制御部４３０とを備えている。
【０１３３】
ここで、図７と図１３を対比する。図７では、コーディネータ側Ｚｉｇｂｅｅネットワーク接続用通信部４１０であるのに対して、図１３では、管理サーバ側ＲＦＩＤネットワーク接続用通信部４１０Ａである点で、両者は互いに相違する。
【０１３４】
また、図７では、コーディネータ側Ｅｔｈｅｒｎｅｔネットワーク接続用通信部４２０であるのに対して、図１３では、管理サーバ側Ｅｔｈｅｒｎｅｔネットワーク接続用通信部４２０Ａである点で、両者は互いに相違する。
【０１３５】
その他の構成は、図７に示したＺｉｇｂｅｅコーディネータ４００と同様であり、第１の実施の形態の説明に準じた動作をする。このため、その他の構成については、詳しい説明を省略する。
【０１３６】
管理サーバ側ＲＦＩＤネットワーク接続用通信部４１０Ａは、ＲＦＩＤネットワーク８００Ａを介して、ＲＦＩＤリリーダ端末３００Ａと接続されている。管理サーバ側ＲＦＩＤネットワーク接続用通信部４１０ＡとＲＦＩＤリーダ端末３００Ａは、ＲＦＩＤネットワーク８００Ａを介して、互いに各種データを送受信する。
【０１３７】
管理サーバ側Ｅｔｈｅｒｎｅｔネットワーク接続用通信部４２０Ａは、Ｅｔｈｅｒｎｅｔネットワーク７００を介して、管理サーバ２００Ａと接続されている。管理サーバ側Ｅｔｈｅｒｎｅｔネットワーク接続用通信部４２０Ａと管理サーバ２００Ａは、Ｅｔｈｅｒｎｅｔネットワーク７００を介して、互いに各種データを送受信する。
【０１３８】
以上、本発明の実施の形態における情報提供システム１０００Ａの構成について、各図を用いて、説明した。
【０１３９】
次に、情報通信システム１０００Ａの動作について、図に基づいて説明する。
【０１４０】
図１４は、情報通信システム１０００Ａの動作を示すシーケンス図である。
【０１４１】
ここで、図８と図１４を対比する。図１４のＳ１４０１〜Ｓ１４１４は、図８のＳ８０１〜Ｓ８１４にそれぞれ対応する。図８と図１４の相違点は、上述したように、各構成の名称の違いや符号に伴う点のみである。したがって、図１４のＳ１４０１〜Ｓ１４１４の各処理は、図８のＳ８０１〜Ｓ８１４の各処理と同様の処理となる。以下、簡略して、各処理について説明する。
【０１４２】
まず、移動通信端末１００および無線通信タグ５００Ａを有する利用者が、店舗Ａに近づくと、無線通信タグ５００Ａは、ＲＦＩＤリーダ端末３００Ａａの通信接続可能範囲内に入り、ＲＦＩＤリーダ端末３００Ａａと通信接続する（Ｓ１４０１）。
【０１４３】
無線通信タグ５００ＡとＲＦＩＤリーダ端末３００Ａａとの通信接続が完了すると、ＲＦＩＤリーダ端末３００ＡａはＲＦＩＤ管理サーバ４００Ａに対して、認証を要求する（Ｓ１４０２）。
【０１４４】
次に、ＲＦＩＤ管理サーバ４００Ａが、ＲＦＩＤリーダ端末３００Ａａからの要求に従って、認証を行う（Ｓ１４０３）。
【０１４５】
そして、ＲＦＩＤ管理サーバ４００Ａは、認証の結果を、無線通信タグ５００Ａへ送信する（Ｓ１４０４）。この結果、無線通信タグ５００Ａは、ＲＦＩＤリーダ端末３００Ａａとの通信接続を完了する（Ｓ１４０５）。
【０１４６】
また、ＲＦＩＤ管理サーバ４００Ａは、「無線通信タグ５００Ａは、店舗Ａに配置されたＲＦＩＤリーダ端末３００Ａａと接続した。」という情報を、管理サーバ２００Ａの位置情報管理部２７２へ送信する（Ｓ１４０６）。
【０１４７】
次に、無線通信タグ５００ＡがＲＦＩＤリーダ端末３００Ａａと接続している状態で、利用者は移動通信端末１００の撮像部１１０を用いて無線通信タグ５００ＡのＱＲコード５１０を撮影する（Ｓ１４０７）。
【０１４８】
そして、移動通信端末１００のタグ情報取得部１３０は、撮像部１１０により撮像されたＱＲコード５１０を読み込むことにより、無線通信タグ５１０のＱＲコード５１０に書き込まれたＵＲＬ５１１とタグ識別番号５１２と読み取る（Ｓ１４０８）。
【０１４９】
移動通信端末１００は、インターネット／携帯電話網６００を介して、Ｓ１４０８で取得したＵＲＬ５１１に応じて、管理サーバ２００ＡのＷＷＷサーバ２７１に通信接続する（Ｓ１４０９）。そして、管理サーバ２００Ａでは、制御部２７４が、ＵＲＬ５１１を取得する（Ｓ１４１０）。
【０１５０】
次に、管理サーバ２００Ａでは、制御部２７４が、ＵＲＬ５１１のクエリ部分からタグ識別番号５１２を取り出す（Ｓ１４１１）。
【０１５１】
そして、管理サーバ２００Ａでは、制御部２７４は、無線通信タグ５００の位置情報を、位置情報管理部２７２へ問い合わせる（Ｓ１４１２）。より具体的には、管理サーバ２００Ａの制御部２６０が、サーバ側受信部２１１により受信されたタグ識別番号５１２に基づいて、無線通信タグ５００Ａの位置を、接続中リーダ抽出部２４０Ａへ問い合わせる。
【０１５２】
また、管理サーバ２００Ａでは、位置情報管理部２７２が、無線通信タグ５００Ａの位置情報を抽出し、この抽出結果として、「接続中リーダ端末名」を制御部２７４へ送信する（Ｓ１４１３）。より具体的には、接続中リーダ抽出部２４０Ａが、サーバ側受信部２１１により受信されたタグ識別番号５１２に基づいて、無線通信タグ５００Ａが通信接続しているＲＦＩＤリーダ端末３００Ａを接続中ＲＦＩＤリーダ端末として抽出する。ここでは、Ｓ１４０１〜Ｓ１４０５の処理の通り、無線通信タグ５００ＡはＲＦＩＤリーダ端末３００Ａａと通信接続している。したがって、接続中リーダ抽出部２４０Ａは、「ＲＦＩＤリーダ端末３００Ａａ」を接続中ＲＦＩＤリーダ端末として抽出して、これを「接続中リーダ名」として制御部２６０へ送信する。
【０１５３】
次に、管理サーバ２００Ａでは、制御部２７４が、ＷＷＷサーバ２７１に対して、店舗Ａに関する情報を移動通信端末１００へ送信するように要求する（Ｓ１４１４）。
【０１５４】
管理サーバ２００Ａでは、ＷＷＷサーバ２７１は、制御部２７４の送信要求を受けて、店舗Ａ情報２３２を移動通信端末１００へ送信する（Ｓ１４１５）。
【０１５５】
以上の通り、本発明の第２の実施の形態における情報提供システム１０００は、管理サーバ２００Ａと、無線通信タグ５００Ａと、移動通信端末１００とを有する。管理サーバ２００は、所定の情報（店舗Ａ情報、店舗Ｂ情報等）がそれぞれ対応付けられた複数のＲＦＩＤリーダ端末３００Ａ（固定通信端末）に接続されている。無線通信タグ５００Ａは、タグ識別番号５１２（タグ識別情報）を有し、ＲＦＩＤリーダ端末３００Ａと通信接続する。移動通信端末１００は、管理サーバ２００Ａとの間で無線通信を行う。
【０１５６】
移動通信端末１００は、タグ情報取得部１３０と、端末側通信部１４０とを有している。タグ情報取得部１３０は、タグ識別情報を取得する。端末側通信部１４０は、タグ情報取得部１３０により取得されたタグ識別情報を管理サーバ２００へ送信する。
【０１５７】
管理サーバ２００Ａは、サーバ側受信部２１１と、サーバ側記憶部２３０と、接続中リーダ抽出部２４０Ａ（接続中固定通信端末抽出部）と、情報抽出部２５０と、サーバ側送信部２１２とを有している。サーバ側受信部２１１は、端末側通信部１４０により送信されたタグ識別番号５１２を受信する。サーバ側記憶部２３０は、複数のＲＦＩＤリーダ端末３００Ａにそれぞれ対応付けられた所定の情報（店舗Ａ情報、店舗Ｂ情報等）を記憶する。接続中リーダ抽出部２４０Ａは、サーバ側受信部２１１により受信されたタグ識別番号５１２に基づいて、無線通信タグ５００Ａが通信接続しているＲＦＩＤリーダ端末３００Ａを、接続中固定通信端末として抽出する。情報抽出部２５０は、接続中リーダ抽出部２４０Ａにより抽出された接続中固定通信端末に対応付けられた所定の情報（店舗Ａ情報、店舗Ｂ情報等）を抽出情報としてサーバ側記憶部２３０から抽出する。サーバ側送信部２１２は、情報抽出部２５０により抽出された抽出情報を移動通信端末１００へ送信する。
【０１５８】
このような情報提供システム１０００Ａの構成であっても、第１の実施の形態における情報提供システム１０００と同様の効果を奏することができる。
【０１５９】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【０１６０】
１００  移動通信端末
１１０  撮像部
１２０  表示部
１３０  タグ情報取得部
１４０  端末側通信部
１５０  制御部
２００  管理サーバ
２００Ａ  管理サーバ
２１０  サーバ側通信部
２１１  サーバ側受信部
２１２  サーバ側送信部
２２０  管理サーバ側Ｅｔｈｅｒｎｅｔネットワーク接続用通信部
２３０  サーバ側記憶部
２３１  店舗Ａ情報
２３２  店舗Ｂ情報
２４０  接続中ルータ抽出部
２５０  情報抽出部
２６０  制御部
２７１  ＷＷＷサーバ
２７２  位置情報管理部
２７３  Ｅｔｈｅｒネットインターフェース
２７４  制御部
３００  Ｚｉｇｂｅｅルータ端末
３００ａ  Ｚｉｇｂｅｅルータ端末
３００ｂ  Ｚｉｇｂｅｅルータ端末
３００Ａ  ＲＦＩＤリーダ端末
３００Ａａ  ＲＦＩＤリーダ端末
３００Ａｂ  ＲＦＩＤリーダ端末
３１０  ルータ端末側通信部
３１０Ａ  リーダ端末側通信部
３２０  記憶部
３２１  店舗Ａフラグ
３３０  ルータ端末側Ｚｉｇｂｅｅネットワーク接続用通信部
３３０Ａ  リーダ端末側ＲＦＩＤネットワーク接続用通信部
３４０  制御部
４００  Ｚｉｇｂｅｅコーディネータ
４００Ａ  ＲＦＩＤ管理サーバ
４１０  コーディネータ側Ｚｉｇｂｅｅネットワーク接続用通信部
４１０Ａ  管理サーバ側ＲＦＩＤネットワーク接続用通信部
４２０  コーディネータ側Ｅｔｈｅｒｎｅｔネットワーク接続用通信部
４２０Ａ  管理サーバタ側Ｅｔｈｅｒｎｅｔネットワーク接続用通信部
４３０  制御部
５００  無線通信タグ
５００Ａ  無線通信タグ
５１０  ＱＲコード
５１１  ＵＲＬ
５１２  タグ識別番号
６００  インターネットまたは携帯電話網
７００  Ｅｔｈｅｒｎｅｔネットワーク
８００  Ｚｉｇｂｅｅネットワーク
１０００  情報提供システム
１０００Ａ  情報提供システム
【図１】
2014044642.tif 000003
【図２】
2014044642.tif 000004
【図３】
2014044642.tif 000005
【図４】
2014044642.tif 000006
【図５】
2014044642.tif 000007
【図６】
2014044642.tif 000008
【図７】
2014044642.tif 000009
【図８】
2014044642.tif 000010
【図９】
2014044642.tif 000011
【図１０】
2014044642.tif 000012
【図１１】
2014044642.tif 000013
【図１２】
2014044642.tif 000014
【図１３】
2014044642.tif 000015
【図１４】
2014044642.tif 000016